(57)【要約】      （修正有）【課題】海洋生物が海洋構造物に着生したり海洋構造物が腐蝕したりすることを防止するために海洋構造物に設けられる陽極棒の識別システム、及びこれに用いられる陽極棒を提供する。【解決手段】海洋構造物の陽極棒識別システムは、海水と接する陽極棒１２０、及び前記陽極棒が絶縁状態で着脱可能に結合され、海洋構造物に固定される固定装置１５０を含んでなる電極部１００と、前記陽極棒に電流供給線５００を介して電流を供給する電源部３００と、  前記電極部側に設けられて識別信号を発生する送信モジュール２００と、前記電源部側に設けられ、前記送信モジュールからの前記識別信号を受信及び分析し、前記電源部の電流供給を制御する受信モジュール４００とを含んでなることを特徴とする。【選択図】図３
2005240183.tif 000002
【特許請求の範囲】
【請求項１】
海水と接する陽極棒、及び前記陽極棒が絶縁状態で着脱可能に結合され、海洋構造物に固定される固定装置を含んでなる電極部と、
前記陽極棒に電流供給線を介して電流を供給する電源部と、
前記電極部側に設けられて識別信号を発生する送信モジュールと、
前記電源部側に設けられ、前記送信モジュールからの前記識別信号を受信及び分析し、前記電源部の電流供給を制御する受信モジュールとを含んでなることを特徴とする、海洋構造物の陽極棒識別システム。
【請求項２】
前記送信モジュールは、前記識別信号の発生により前記電流供給線にパルス電圧を誘導し、前記受信モジュールは、前記電流供給線のパルス電圧を感知して前記識別信号を受信するように構成されていることを特徴とする、請求項１に記載の海洋構造物の陽極棒識別システム。
【請求項３】
前記識別信号は、前記パルス電圧のパルス幅の変移により区分されるデータからなることを特徴とする、請求項２に記載の海洋構造物の陽極棒識別システム。
【請求項４】
前記送信モジュールは、前記陽極棒に設けられた識別標識、及び前記識別標識を識別するために前記固定装置に設けられ前記識別信号を発生する識別装置からなることを特徴とする、請求項１に記載の海洋構造物の陽極棒識別システム。
【請求項５】
前記識別標識は無線識別タグであり、前記識別装置は無線識別リーダであることを特徴とする、請求項４に記載の海洋構造物の陽極棒識別システム。
【請求項６】
海洋生物が海洋構造物に着生したり、海洋構造物が腐蝕したりすることを防止するために、海水と接するように設けられ、前記海洋構造物に固定される固定装置に対して絶縁状態で前記固定装置に着脱可能に結合され、電源部から電流供給を受ける陽極棒において、
前記電流供給を制御するための識別標識が前記陽極棒に設けられることを特徴とする陽極棒。
【請求項７】
前記識別標識は、無線識別タグであることを特徴とする請求項６に記載の陽極棒。
【請求項８】
前記識別標識は、前記固定装置に向けて設けられることを特徴とする請求項７に記載の陽極棒。
【発明の詳細な説明】
【技術分野】
【０００１】
本発明は、海洋生物が海洋構造物に着生したり、海洋構造物が腐蝕したりすることを防止するために海洋構造物に設けられる陽極棒システム及びこれに用いられる陽極棒に関し、更に詳細には、陽極棒の品質維持のため、前記陽極棒が設けられる電極部に送信モジュールを設け、前記送信モジュールが識別信号を発生すればこれを受信モジュールが受信して電源の電流供給を制御することができる海洋構造物の陽極棒識別システムに関する。
【背景技術】
【０００２】
一般的に、脱塩処理場、海水マグネシア製造工場及び発電所などの冷却装置のために、冷却水として多量の海水が導入されるが、このような海水流入により必然的に冷却パイプラインにはイガイ、フジツボ、海藻などの海洋生物の胞子が配管内部に付着、生長する問題がある。更に、パイプラインなどの表面は海水と反応して腐蝕が発生する。
【０００３】
このような問題は、単に陸上のプラントにとどまらず、船舶などでも発生する。すなわち、船舶は、エンジンの冷却と船舶均衡（Ｂａｌｌａｓｔ）のため船体内部への海水供給が必須であり、その海水が供給される部位には前記と同様の問題が発生する。
【０００４】
このような問題点を解決するため、従来から、防汚用の陽極棒と防蝕用の陽極棒を共に使用して海洋生物の着生による構造物の汚染を防止すると共に、腐蝕による構造物の汚染を防止している。
【０００５】
本発明に関連した従来の技術として、特許文献１の「海水循環系システム内の海洋生物生息防止装置及びその方法」、特許文献２の「海洋生物の付着を防止する装置」、及び特許文献３の「海洋生物汚染の減少方法」などが公開されている。
【０００６】
従来の技術によれば、防汚用の陽極棒として主に銅（Ｃｕ）が利用されており、更に防蝕用の陽極棒としてはアルミニウム（Ａｌ）、又は鉄（Ｆｅ）などが利用されている。
【０００７】
更に、防蝕用の電極は防蝕効果だけではなく、ある程度の防汚効果も有するものとして知られており、大体防汚用の電極と共に使用されている。
【０００８】
図１と図２は、従来の技術による防汚及び防蝕システムの概略図である。
【０００９】
図１は、タンクに海水が導入され、銅イオンを放出する防汚用の陽極棒と、アルミニウムまたは鉄イオンを放出する防蝕用の陽極棒を対で具備しており、交流電流を受けて防汚用の陽極棒及び防蝕用の陽極棒に直流電流を供給する定電流の自動整流器が、防汚用の陽極棒及び防蝕用の陽極棒に連結されている。
【００１０】
図２は、船舶に冷却水として導入される海水のための防汚及び防蝕システムに関するもので、根本的に図１と同一性を有する技術である。
【００１１】
このような従来の技術によれば、防汚用の陽極棒と防蝕用の陽極棒は海水と接した状態で使用され、防汚用の陽極棒及び防蝕用の陽極棒は固定装置に結合されて船体、タンクなどの海洋構造物に固定結合される。
【００１２】
ところで、陽極棒、固定装置、電源（例えば、定電流の自動整流器）は、防汚及び防蝕システムの品質と直接関連するため、通常は一つのメーカーにて一括的に直接製作、納品されており、更に陽極棒は継続的に陽イオンを放出するため、概して２年の周期で交換する必要が生じる。
【００１３】
ところが、前記のように陽極棒を交換する場合、交換される新しい陽極棒が、本来の防汚及び防蝕システムを納品したメーカーとは違うメーカーにて製作され、納品される場合が度々ある。
【００１４】
しかし、このように、防汚及び防蝕システムに他のメーカーの陽極棒が使用される場合、本来の防汚及び防蝕システムのメーカーは自社の製品に対する品質の同一性を維持し難くなり、このような、品質の同一性毀損により市場における信用に甚大な打撃を受ける惧れがある。
【特許文献１】韓国特許出願公開番号第２００１−００９７２２１号明細書
【特許文献２】韓国実用新案登録番号第２４９４３７号明細書
【特許文献３】国際公開番号第ＷＯ８７／０３２６１号明細書
【発明の開示】
【発明が解決しようとする課題】
【００１５】
そこで、本発明は、陽極棒と固定装置からなる電極部に送信モジュールを設け、前記送信モジュールで識別情報に関する信号を発生するようにし、これを電源側に設けられた受信モジュールで受信して、電源の電流供給を制御することができるようにした海洋構造物の陽極棒識別システムを提供することをその課題とする。
【課題を解決するための手段】
【００１６】
前記課題を解決するため、本発明は、海水と接する陽極棒、及び前記陽極棒が絶縁状態で着脱可能に結合され、海洋構造物に固定される固定装置を含んでなる電極部と、前記陽極棒に電流供給線を介して電流を供給する電源部と、前記電極部側に設けられて識別信号を発生する送信モジュールと、前記電源部側に設けられて、前記送信モジュールからの前記識別信号を受信及び分析し、前記電源部の電流供給を制御する受信モジュールとを含んでなる海洋構造物の陽極棒識別システムを提供する。
【００１７】
前記識別信号としては、ＩＤ情報、寿命情報、基準日付情報などが考えられる。
【００１８】
ＩＤ情報とは、陽極棒のメーカーなどを表示するために送信モジュールに記憶されている暗号化されたデータであり得る。従って、受信モジュールは、前記ＩＤ情報を分析して、前記ＩＤ情報が検出できないか、あるいは相異するＩＤ情報が検出される場合、前記電源部が電流供給を遮断するように制御することができる。
【００１９】
寿命情報とは、前記電源部が前記電極部、特に前記陽極棒に電流を供給し始めた時点から電流が供給された時間の総和を言う。従って、前記受信モジュールは、前記寿命情報を分析して前記寿命情報が一定期間を超えたと判断されれば、前記電源部が電流供給を遮断するように制御することができる。
【００２０】
基準日付情報とは、前記陽極棒が製造された日付、もしくは前記陽極棒が工場で出庫された日付など、特定の日付に関する情報を言う。従って、前記受信モジュールは、前記基準日付情報を分析して現在の日付が前記基準日付から一定期間が経過したと判断されれば、前記電源部が電流供給を遮断するように制御することができる。
【００２１】
前記において、前記送信モジュールは、前記識別信号の発生により前記電流供給線にパルス電圧を誘導し、前記受信モジュールは、前記電流供給線のパルス電圧を感知して前記識別信号を受信するように構成されていることが望ましい。前記電流供給線を介して前記送信モジュールと前記受信モジュール間の信号伝送がなされることにより、前記電源部と前記送信モジュール間には唯一つの電流供給線が必要なだけとなるため、防汚及び防蝕システムの設置費用が節減され、更に既存の防汚及び防蝕システムに本発明を導入する場合にも既設の電流供給線を利用することができ、別途の電線を配設する必要がないため、その設置が容易になる。
【００２２】
前記において、前記識別信号は、前記パルス電圧のパルス幅の変移により区分されるデータからなっていてもよい。
【００２３】
前記において、前記送信モジュールは、前記陽極棒に設けられる識別標識、及び前記識別標識を識別するために前記固定装置に設けられ、前記識別信号を発生する識別装置からなっていてもよい。
【００２４】
前記において、識別標識と識別装置は互いに対をなしており、このような例としてバーコードとスキャナ、あるいは無線識別タグ（ＲＦＩＤ  Ｔａｇ、Ｒａｄｉｏ  Ｆｒｅｑｕｅｎｃｙ  Ｉｄｅｎｔｉｆｉｃａｔｉｏｎ  Ｔａｇ、Ｔｒａｎｓｐｏｎｄｅｒ）と無線識別リーダ（ＲＦＩＤ  Ｒｅａｄｅｒ、Ｒａｄｉｏ  Ｆｒｅｑｕｅｎｃｙ  Ｉｄｅｎｔｉｆｉｃａｔｉｏｎ  Ｒｅａｄｅｒ）を挙げることができる。
【００２５】
前記において、前記陽極棒と前記固定装置との間には絶縁ワッシャが挿入され、前記識別標識は前記絶縁ワッシャと接する部位に設けられることが望ましい。陽極棒は時間の経過により消耗され、このような時間の経過により最後に消耗される部分は陽極棒が絶縁ワッシャと接する部位であるため、出来るだけ陽極棒が絶縁ワッシャと接する部位に識別標識を設けて陽極棒の交換時まで識別標識が陽極棒から離れることを防ぐ必要がある。
【００２６】
前記において、前記識別標識は無線識別タグであり、前記識別装置は無線識別リーダであることが望ましい。自動化された識別装置としてバーコードとスキャナを利用した技術が知られているが、陽極棒と固定装置との間に挿入される絶縁ワッシャを考慮すると、非接触式で可視光線帯域でない場合にも使用可能な無線識別（ＲＦＩＤ）システムを採用することが望ましい。
【００２７】
前記において、前記電流供給線が前記識別装置と前記受信モジュールとの間の信号伝達の通路として利用されることが考えられる。識別装置と受信モジュールとの信号伝達のため別途の通信線を追加する方策も考えられるが、このような方策は、既に防汚及び防蝕システムが設置された船舶などの場合、新規に通信線を用意する作業自体が大きい負担になることがあるため、望ましくない場合が多い。
【００２８】
前記において、前記識別装置は、前記固定装置が前記絶縁ワッシャと接する部位に設けられ、前記識別装置は、前記陽極棒を介して電流供給を受けるため、前記陽極棒と電気的に連結されることが考えられる。このような構造により、識別装置と識別標識は最も近い距離に設置されると共に、識別装置に電流が供給される構造が非常に簡単になる。
【００２９】
また、本発明は、前記課題を解決するため、海洋生物が海洋構造物に着生したり、海洋構造物が腐蝕したりすることを防止するために、海水と接するように設けられ、前記海洋構造物に固定される固定装置と絶縁状態で前記固定装置に着脱可能に結合され、電源部から電流供給を受ける陽極棒において、前記電流供給を制御するための識別標識が前記陽極棒に設けられる陽極棒を提供する。
【００３０】
前記において、前記識別標識は無線識別タグであることが望ましい。
【００３１】
前記において、前記識別標識は前記固定装置に向けて設けられることが望ましい。
【発明の効果】
【００３２】
本発明により、電極部に送信モジュールを設けて前記送信モジュールで識別情報に関する信号を発生するようにし、これを電源部側に設けられた受信モジュールで識別情報に関する信号を受信して電源部の電流供給を制御することができるようにし、陽極棒の真偽判読により防汚及び防蝕システムの動作が制御できて防汚及び防蝕システムの品質の同一性を維持することができる。
【発明を実施するための最良の形態】
【００３３】
以下、本発明の第１実施形態に基づいて、本発明の構成及び作用を詳細に説明する。
【００３４】
図３は、本発明による第１実施形態の全体システム構成図である。
【００３５】
電源部３００は、電流供給線５００を介して送信モジュール２００の１番端子に連結されている。更に、電源部３００は、電流供給線５００を介して受信モジュール４００の２番端子に連結されている。従って、送信モジュール２００と受信モジュール４００は電流供給線５００を介して連結されている。
【００３６】
電源部３００は、送信モジュール２００を介して電流、具体的には定電流を供給し、陽極棒１２０は埋め込みボルト１１０を介して送信モジュール２００の２番端子に連結され、電源部３００から電流供給を受ける。陽極棒１２０と埋め込みボルト１１０の構成関係は、図８に基づいて具体的に説明する（後述）。
【００３７】
一方、電源部３００は、受信モジュール４００の１番端子に連結され、受信モジュール４００の動作のための電圧、具体的には１２Ｖの定電圧を供給する。
【００３８】
送信モジュール２００は電極部１００に設けられ、電極部１００は、陽極棒１２０及び前記陽極棒１２０が絶縁状態で着脱可能に結合され、海洋構造物に固定される固定装置１５０を含んでなる。送信モジュール２００は、周期的にＩＤ情報に関する信号、寿命情報に関する信号、及び基準日付情報に関する信号などの識別信号を発生させ、前記電流供給線５００にパルス電圧を誘導する。送信モジュール２００の取付位置は、図８に基づいて具体的に説明する（後述）。
【００３９】
受信モジュール４００は電源部３００側に設けられ、前記電流供給線５００に誘導されるパルス電圧を感知して、前記送信モジュール２００が発生させるＩＤ情報に関する信号、寿命情報に関する信号及び基準日付情報に関する信号などの識別信号を受信する。
【００４０】
受信モジュール４００は、電源部３００の内部に設けられることが望ましい。
【００４１】
受信モジュール４００は、受信したＩＤ情報に関する信号、寿命情報に関する信号及び基準日付情報に関する信号などの識別信号を分析して、陽極棒が本物でないと判断される場合、前記電源部３００が電流供給線５００を介して供給される電流を遮断するための信号を、４番端子を介して伝送する。
【００４２】
図４は、図３の送信モジュールの回路図である。
【００４３】
コネクタＪ４の１番端子に電流供給線５００が連結され、コネクタＪ４の１番端子に供給される電流はＤ４、Ｃ３、Ｕ４、Ｃ４、Ｄ５、Ｃ５からなる定電圧供給回路を経て送信モジュールに５Ｖの駆動電圧を供給する。
【００４４】
更に、コネクタＪ４の１番端子に供給される電流はスイッチング素子Ｑ１、ＩＲＦ９５４０を経てコネクタＪ４の２番端子に連結され、コネクタＪ４の２番端子は図３の埋め込みボルト１１０に連結されて陽極棒１２０に定電流を供給する。
【００４５】
ＩＣチップ（Ｕ５、ＰＩＣ１６Ｆ８７３）の２１番ピンはＩＤ情報に関する信号、寿命情報に関する信号、及び基準日付情報に関する信号を周期的に出力し、信号が出力されればトランジスタＱ３がオンされ、トランジスタＱ２がオフされてスイッチング素子Ｑ１がオフされ、コネクタＪ４の２番端子に供給される電流が遮断され、電流供給線５００に連結されるコネクタＪ４の１番端子の電圧が１２Ｖに上昇する。
【００４６】
そして、ＩＣチップ（Ｕ５、ＰＩＣ１６Ｆ８７３）の２１番ピンから信号が出力されない場合、トランジスタＱ３がオフされ、トランジスタＱ２がオンされてスイッチング素子Ｑ１がオンされ、コネクタＪ４の２番端子に電流が供給され、電流供給線５００に連結されるコネクタＪ４の１番端子の電圧が５Ｖに維持される。
【００４７】
図５は、図３の受信モジュールの回路図である。
【００４８】
コネクタＪ１の１番端子に供給される１２Ｖの電圧は、Ｃ１、Ｕ１、Ｃ２からなる定電圧供給回路を経て受信モジュールに５Ｖの駆動電圧を供給する。
【００４９】
コネクタＪ１の２番端子を介して連結される電流供給線５００は、Ｒ２を経て演算増幅器Ｕ３Ａの非反転端子に連結され、演算増幅器Ｕ３Ａは非反転端子の３番端子と反転端子の２番端子に入力される基準電圧を比較してＩＣチップ（Ｕ２、ＰＩＣ１６Ｆ８７３）の２１番ピンに＋５Ｖまたは０Ｖを出力する。すなわち、電流供給線５００が５Ｖである場合には０Ｖを出力し、電流供給線５００が１２Ｖである場合には＋５Ｖを出力する。
【００５０】
ＩＣチップ（Ｕ２、ＰＩＣ１６Ｆ８７３）は２１番ピンからデータの入力を受け、ＩＤ情報に関する信号、寿命情報に関する信号及び基準日付情報を分析して１１番ピンに電源部３００の電流供給を制御する信号を出力する。
【００５１】
ＩＣチップＵ６は、現在の日付を生成するための分周回路を構成する。
【００５２】
図６ａは、図３による実施形態の正常電流供給時に電流供給線の線路電圧を示した図であり、図６ｂは、図３による実施形態のデータ伝送時に電流供給線の線路電圧を示した図である。
【００５３】
図６ａは、陽極棒に正常に電流が供給されたときの電流供給線の線路電圧を示し、５Ｖを維持する。
【００５４】
図６ｂは、送信モジュールが受信モジュールにデータを伝送する場合の電流供給線の線路電圧を示し、１２Ｖのパルスを形成する部分がデータであり、パルス幅にてデータ種類を判別する。例えば、データ種類として、０から１８まで総１９個を使用することができ、このとき０から１５までは１６進数のデータを意味し、１６は基準日付情報の伝送開始を、１７は寿命情報の伝送開始を、１８はＩＤ情報の伝送開始を意味するものと決めることができる。
【００５５】
図７は、図３の実施形態による送信モジュールと受信モジュールのデータ処理の順序図である。
【００５６】
送信モジュールには最初にＩＤ情報、基準日付情報が記憶されており、寿命情報は０にセットされている。
【００５７】
送信モジュールに電流が供給されれば、送信モジュールは送信モジュールに記憶されているＩＤ情報を受信モジュールに伝送する（Ｓ１０１）。
【００５８】
ＩＤ情報とは、陽極棒のメーカーなどを表示するために送信モジュールに記憶されている暗号化されたデータである。
【００５９】
Ｓ１０２において、送信モジュールは受信モジュールに寿命情報を伝送する。
【００６０】
寿命情報とは、電源部が前記陽極棒に電流を供給し始めた時点から電流が供給された時間の総和を言う。従って、Ｓ１０４において寿命情報は一つずつ増加する。
【００６１】
Ｓ１０３において、送信モジュールは受信モジュールに基準日付情報を伝送する。
【００６２】
基準日付とは、陽極棒が製造された日付などを言う。
【００６３】
Ｓ１０４において寿命情報は一つずつ増加する。従って、本実施形態で寿命情報の数字は、送信モジュールが受信モジュールに寿命情報を伝送した回数と一致する。
【００６４】
Ｓ１０５において、寿命情報は送信モジュールのＥＥＰＲＯＭに記憶される。これは、送信モジュールに電流が供給されないときに備えるためのもので、電流供給が再開されれば送信モジュールはＥＥＰＲＯＭに記憶された寿命情報を読み込んでカウントを続ける。
【００６５】
Ｓ１０６において、送信モジュールは一定時間待機状態に置かれた後、再度Ｓ１０１からの手続を繰り返す。
【００６６】
一方、受信モジュールは、Ｓ２０１において、伝送されたＩＤ情報が受信モジュールに記憶されたＩＤ情報と一致するか否かを判断し、両者が一致しないと電源部の電流供給を遮断する信号を送る。
【００６７】
Ｓ２０２において、伝送された寿命情報と受信モジュールに記憶された有効寿命の大小を判断し、伝送された寿命情報が有効寿命より大きければ電源部の電流供給を遮断する信号を送る。陽極棒の有効寿命は概して２年程度である。
【００６８】
Ｓ２０３において、現在の日付と伝送された基準日付を比較して、１５００日が経過したと判断されれば電源部の電流供給を遮断する信号を送る。
【００６９】
図８は、本発明の第１実施形態による電極部の概略断面図である。
【００７０】
電極部１００は、大きく陽極棒１２０と固定装置１５０からなる。
【００７１】
固定装置１５０は取り付けフランジ１５１と取り付けスリーブ１５２とからなる。
【００７２】
取り付けフランジ１５１の上部には吊り金具１５１ａが設けられており、取り付けフランジ１５１には、海洋構造物Ｂにボルトで締結するため、多数のボルト穴１５１ｂが形成されている。
【００７３】
取り付けフランジ１５１と取り付けスリーブ１５２は熔接により一体に形成されている。
【００７４】
取り付けスリーブ１５２の内部に埋め込みボルト１１０が設けられ、前記埋め込みボルト１１０の下部に陽極棒１２０が螺合されている。
【００７５】
埋め込みボルト１１０と取り付けスリーブ１５２間の絶縁のため、上部に絶縁ワッシャ１５３が設けられ、絶縁ワッシャ１５３の上部には二重ナット１１１が締結されており、更に埋め込みボルト１１０の外周部は絶縁被覆されている。
【００７６】
更に、陽極棒１２０と取り付けスリーブ１５２間の絶縁のため、その間に絶縁ワッシャ１５４が挿着されている。
【００７７】
従って、取り付けスリーブ１５２、取り付けフランジ１５１、及び海洋構造物Ｂが電気的に連結されて接地状態をなし、更に二重ナット１１１、埋め込みボルト１１０、陽極棒１２０が電気的に連結されている。
【００７８】
送信モジュール２００は、取り付けスリーブ１５２の内部で二重ナット１１１の周囲に設けられ、送信モジュール２００を設けた後、二重ナット１１１の周辺をＦＲＰレジンなどで送信モジュール２００が埋設されるように充填する。
【００７９】
従って、他社の陽極棒を使用するために二重ナット１１１の締結を解除しようとすれば、ＦＲＰレジンなどに埋設された送信モジュール２００が共に破損され、受信モジュール４００はそれ以上ＩＤ情報に関する信号などを受信することができず、電源部２００の電流供給を遮断するようになる。
【００８０】
以下、本発明の第２実施形態例に基づいて、本発明の構成、及び作用を詳細に説明する。
【００８１】
図９は、本発明の第２実施形態により、船体に陽極棒が取り付けられた状態の概略縦断面図である。第１実施形態と同一の構成に対しては第１実施形態を参照し、その詳細な説明は省略する。
【００８２】
埋め込みボルト１１０は、電流供給線５００を介して電源部（図示せず）から電流供給を受ける。
【００８３】
従って、取り付けスリーブ１５２、取り付けフランジ１５１、及び船体Ｂが電気的に連結されて接地状態をなし、更に電流供給線５００、埋め込みボルト１１０、陽極棒１２０が電気的に連結されている。従って、電流供給線５００、埋め込みボルト１１０を介して陽極棒１２０に電流が供給される。
【００８４】
陽極棒１２０の上部面、すなわち絶縁ワッシャ１５４と接する面の内側には無線識別タグ５１０が設けられている。
【００８５】
更に、取り付けスリーブ１５２の下部面、すなわち絶縁ワッシャ１５４と接する面の内側には無線識別リーダ５２０が設けられている。
【００８６】
無線識別リーダ５２０は、取り付けスリーブ１５２と接することにより、取り付けスリーブ１５２と電気的に連結、すなわち接地され、更に絶縁ワッシャ１５４に形成された貫通孔１５４ａを貫通するスプリング形態の電流供給線５２１を介して陽極棒１２０から電流供給を受ける。
【００８７】
図１０は、本発明の第２実施形態によるシステムブロックダイアグラムである。
【００８８】
電源部３００において、発電機（図示せず）から供給される交流電流を直流に変換し、電流供給線５００を介して陽極棒１２０ａ、１２０ｂに電流を供給し、更に受信モジュール６００に電流を供給する。
【００８９】
一方、無線識別リーダ５２０ａ、５２０ｂは、直接的に電流供給線５００を介して電流供給を受けたり、埋め込みボルト１１０に連結されて電流供給を受けることもできるが、本実施形態においては、陽極棒１２０ａ、１２０ｂに連結される電流供給線５２１ａ、５２１ｂを介して電流供給を受ける。
【００９０】
無線識別リーダ５２０ａ、５２０ｂは、それぞれ対応する無線識別タグ５１０ａ、５１０ｂに電波を送出して、復帰する電波から無線識別タグ５１０ａ、５１０ｂのデータ、たとえば陽極棒が本物であるかに対する情報を読み込む。
【００９１】
無線識別リーダ５２０ａ、５２０ｂで読み込んだ情報は交流信号生成器（ＡＣ  Ｓｉｇｎａｌ  Ｇｅｎｅｒａｔｏｒ）５２２ａ、５２２ｂを介してＡＣ情報に変換され、陽極棒１２０ａ、１２０ｂ、及び電流供給線５００を経て受信モジュール６００に伝送される。
【００９２】
受信モジュール６００は、ここに設けられた信号フィルタ（Ｓｉｇｎａｌ  Ｆｉｌｔｅｒ）６１０により、電流供給線５００に含まれた直流成分を除いた後、無線識別リーダ５２０ａ、５２０ｂから伝送した信号を抽出する。
【００９３】
受信モジュール６００は、無線識別リーダ５２０ａ、５２０ｂから伝送した信号に応じて、電源部３００の電流供給を制御するための信号を電源部３００に伝送する。
【００９４】
すなわち、無線識別リーダ５２０ａ、５２０ｂにより判読された陽極棒１２０が本物である場合にのみ、電源部３００から陽極棒１２０に電流を供給するようにし、無線識別リーダ５２０ａ、５２０ｂにより判読された陽極棒１２０が他のメーカーにより生産されたものである場合には、電源部３００から陽極棒１２０に電流を供給しないようにする。
【００９５】
更に、無線識別リーダ５２０ａ、５２０ｂにより判読された陽極棒１２０が本物である場合にも、その陽極棒１２０が一定期間以上使用された場合には、電源部３００から陽極棒１２０に電流を供給しないようにする。すなわち、同一の無線識別タグを一定期間、たとえば２年以上使用することができないようにする。このような作用のため、受信モジュール６００は無線識別リーダ５２０ａ、５２０ｂから、陽極棒１２０が本物であるかに対する情報を受信するだけではなく、受信モジュール６００は最初に陽極棒１２０が使用され始めた時点からどの程度の期間が経過したのかを判断するように構成される。
【００９６】
図１０の接地は、すべて船体、すなわち海洋構造物を基準に接地された状態である。
【００９７】
図１１は、本発明の第３実施形態によるシステムブロックダイアグラムである。
【００９８】
本実施形態においては、無線識別リーダ５２０ａ、５２０ｂが直接電流供給線５００に連結されて電流供給を受けると共に、信号が伝送できるようにしたもので、残りの部分は図１０と同一である。
【００９９】
前述した実施形態は本発明の望ましい実施例に過ぎず、本発明の技術的な思想は当業者により多様に変形乃至調整されることができ、このような変形乃至調整が本発明の技術的な思想を用いる限り、これもまた本発明の範囲に属するものである。
【産業上の利用可能性】
【０１００】
本発明は、海洋生物が海洋構造物に着生したり、海洋構造物が腐蝕したりすることを防止するために海洋構造物に設けられる陽極棒識別システム及びこれに用いられる陽極棒に適用することができる。
【図面の簡単な説明】
【０１０１】
【図１】従来の技術による防汚及び防蝕システムの概略図である。
【図２】従来の技術による防汚及び防蝕システムの概略図である。
【図３】本発明の第１実施形態による全体システムの構成図である。
【図４】図３の送信モジュールの回路図である
【図５】図３の受信モジュールの回路図である
【図６】ａは図３の実施形態の正常電流供給時に電流供給線の線路電圧を示したグラフである。ｂは図３の実施形態のデータ伝送時に電流供給線の線路電圧を示したグラフである。
【図７】図３の実施形態の送信モジュールと受信モジュールのデータ処理のフローチャートである。
【図８】本発明の第１実施形態による電極部の概略断面図である。
【図９】本発明の第２実施形態例により、船体に陽極棒が設置された状態の概略縦断面図である。
【図１０】本発明の第２実施形態によるシステムブロックダイアグラムである。
【図１１】本発明の第３実施形態によるシステムブロックダイアグラムである。
【符号の説明】
【０１０２】
１００    電極部
１１０    埋め込みボルト
１１１    二重ナット
１２０、１２０ａ、１２０ｂ    陽極棒
１５０    固定装置
１５１    取り付けフランジ
１５１ａ    吊り金具
１５１ｂ    ボルト穴
１５２    取り付けスリーブ
１５３、１５４    絶縁ワッシャ
１５４ａ    貫通孔
２００    送信モジュール
３００    電源部
４００、６００    受信モジュール
５００    電流供給線
５１０、５１０ａ、５１０ｂ    無線識別タグ
５２０、５２０ａ、５２０ｂ    無線識別リーダ
５２１    スプリング形態の電流供給線
６１０    信号フィルタ
【図１】
2005240183.tif 000003
【図２】
2005240183.tif 000004
【図３】
2005240183.tif 000005
【図４】
2005240183.tif 000006
【図５】
2005240183.tif 000007
【図６】
2005240183.tif 000008
【図７】
2005240183.tif 000009
【図８】
2005240183.tif 000010
【図９】
2005240183.tif 000011
【図１０】
2005240183.tif 000012
【図１１】
2005240183.tif 000013